(57)【要約】      （修正有）【課題】円筒状混合容器内内に回転羽根とチョッパーを配置する形式の混合装置において、被混合物の混合精度を高め、また分解、清掃時における作業性、安全性、清掃性の良い混合装置を提供する。【解決手段】水平置きに配置された円筒状混合容器５内に回転軸１４を介して設置される第一のフライト１６、第二のフライト１７は略中央にて二分割され、該第一のフライト、第二のフライトは前記円筒状混合容器の互いに対向する側面側からそれぞれ挿着並びに引き抜き可能となし、該第一のフライト、第二のフライトの回転軸は軸受け機構１５を介して前記円筒状混合容器の側面蓋を貫通しそれぞれの駆動モーター１３に連繋されており、該第一のフライト、第二のフライト、それぞれの回転軸、円筒状混合容器の側面蓋、並びに駆動モーターは前記円筒状混合容器の外部に設置された水平移動持設機構にそれぞれ片持ちで持設する。【選択図】図３
2008062210.tif 000002
【特許請求の範囲】
【請求項１】
水平置きに配置された円筒状混合容器内に回転軸を介して設置される第一のフライト、第二のフライトは略中央にて二分割され、
該第一のフライト、第二のフライトは前記円筒状混合容器の互いに対向する側面側からそれぞれ挿着並びに引き抜き可能となし、
該第一のフライト、第二のフライトの回転軸は軸受け機構を介して前記円筒状混合容器の側面蓋を貫通しそれぞれの駆動モーターに連繋されており、
該第一のフライト、第二のフライト、それぞれの回転軸、円筒状混合容器の側面蓋、並びに駆動モーターは前記円筒状混合容器の外部に設置された水平移動持設機構にそれぞれ片持ちで持設されていること、
を特徴とする混合装置。
【請求項２】
前記第一のフライト並びに第二のフライトはそれぞれ別々に回転数を制御可能な駆動モーターにそれぞれの回転軸を介して連繋されており、
該第１のフライト並びに第二のフライトは円筒状混合容器内にて別々に回転駆動し被混合物を混合する際必要に応じて前記回転数を別々に可変可能にしたこと、
を特徴とする請求項１に記載の混合装置。  
【請求項３】
前記円筒状混合容器内に回転軸を介して設置される第一のフライト、第二のフライトは１ロット混合完了後の分解、清掃時において、
該第一のフライト並びに第二のフライトをそれぞれ別々に円筒状混合容器の外部に引き抜き水洗い洗浄、または拭き取り清掃すること、
を特徴とする請求項１または請求項２の何れかに記載の混合機。
【請求項４】
前記第一のフライト、第二のフライト、それぞれの回転軸、円筒状混合容器の側面蓋、並びに駆動モーターは前記円筒状混合容器の外部に設置された水平移動装置は該装置上部に設けられたＩ型吊りレール上を走行する移動ローラ付き懸架アームに持設されているか、または該装置床面に設置されたレール上を走行する台車上に持設されており、該懸架アームまたは台車を手動或いは電動にて動作させること、
を特徴とする請求項１乃至請求項３の何れかに記載の混合装置。
【発明の詳細な説明】
【技術分野】
【０００１】
本発明は、多種の粉体と粉体、または多種の粉体と液体等を精密に混合するための混合装置に関するものであり、さらに詳しくは円筒状混合容器内に回転駆動可能に設けられている回転羽根部とチョッパー部からなる混合装置において、分散、並びに剪断作用の向上で混合精度の高い混合装置を具現化し、該混合装置は分解、清掃性に優れた構成を有しており、１ロット混合工程終了後の分解、清掃作業において相互汚染を完璧に阻止できる分解、清掃作業性の良い混合装置を提供するものである。
【背景技術】
【０００２】
円筒状混合容器内に回転羽根とチョッパーとを備え、必要な混合作用が得られると共に分散、剪断作用を得るための混合装置として、従来、特開平０３−１１８８２７号公報（以下、特許文献１と称する）及び特許第３６５９９１５号公報（以下、特許文献２と称する）が知られている。
【０００３】
特許文献１の発明は、ねじれ方向が逆方向である内外リボンがそれぞれ中央を境に左右反対に対象となるよう羽根筒軸に付された内外リボン羽根をトラフ型容器内に備えた従来の二重リボン混合機に関するものである。
【０００４】
そして、羽根筒軸に直交状態で回転自在に装着したチョッパーを該羽根筒軸内の回転軸に歯車伝導機構を介して連結し、内外リボン羽根とチョッパーとを個別に回転させるようにしたものであるから、内外リボン羽根を低速でまたチョッパーを高速で回転させることによって、吸収性が強く凝集しやすい粉体や混合容器内の粒子の凝集を防ぎ攪拌効果を高め混合精度にきわめて有効であり、混合時間も短縮できて効率的であるなどの卓抜した効果がある、と云うものである。
【０００５】
また、特許文献２の発明は、円筒状混合容器内に回転駆動可能に設けられている回転軸に取り付けられている第一、第二のフライト（スクリュー羽根）と、前記円筒状混合容器の壁部から内部へ臨むように設けられ、前記回転軸よりも比較的高速で回転駆動されるチョッパーとから構成され、前記第二のフライトは、前記第一のフライトと軸方向に所定の間隔をおいて、前記第一のフライトとの間に分散・剪断位置が確保されるように配置され、これらの第一、第二のフライトの外周部は、前記円筒状混合容器の内壁に近接して駆動されるようになっていると共に、前記第一、第二のフライトは、被処理物を前記分散・剪断位置の方へ移送するように互いに逆方向に捻られ、前記チョッパーは、前記第一、第二のフライトの間の分散・剪断位置に配置されている混合装置に関するものである。
【０００６】
而して、特許文献２は、上記構成を有することにより、多量の被混合物がチョッパーの方へ略連続的に移送され、チョッパーにより強力な分散・剪断作用受け短時間に、しかも均一に混合される効果が得られる。
【０００７】
また、第一、第二のフライト（スクリュー羽根）は互いに逆方向に捻られているので、これらのフライトで移送される被処理物は分散・剪断位置でお互いに衝突するので、これによっても、被処理物の混合が促進される、と云うものである。
【０００８】
斯くして、上記特許文献１、２の発明は、円筒状混合容器内内に回転羽根とチョッパーを配置する形式の混合装置であり、被混合物の混合精度を高めた混合装置としての評価を得ている。
【０００９】
然しながら、特許文献１発明は、ねじれ方向が逆方向である内外リボンがそれぞれ中央を境に左右反対に対象となるよう羽根筒軸に付された内外リボン羽根をトラフ型容器に備えたリボン混合機において、羽根筒軸に直交状態で回転自在に装着したチョッパーを該羽根筒軸内の回転軸に歯車伝導機構を介して連結し、内外リボン羽根とチョッパーとを個別に回転させるようにしたものであるから、特に内外リボン羽根とチョッパーの構成部分が複雑で、該部分において、分解、清掃性が極め悪い。
【００１０】
また、特許文献１の発明においては、円筒状混合容器内の洗浄に際して、各止めネジを螺脱して中央羽根筒軸部と左右羽根筒軸部とを分離すると共に左右回転軸部と中央回転軸部とを分離することによってチョッパー装着の内外リボン羽根アッセンブリが容易に容器外へ取り外しでき洗浄に便利である、との記載もあるが、これらの作業は、従来、円筒状混合容器にできるだけ大きな点検口を設け、該点検口より内部の点検、清掃を行うことが、通常的に行われている。
【００１１】
従って、点検口の大きさは円筒状混合容器の構造上の強度にも影響して限度があり、円筒状混合容器内、及びリボン羽根、チョッパーを清掃することは、困難であり、また、円筒状混合容器内に人が身体をいれて清掃するために安全面では非常に問題があった。
【００１２】
次に、特許文献２の発明は、円筒状混合容器内に回転駆動可能に設けられている回転軸に取り付けられている第一、第二のフライトと、前記円筒状混合容器の壁部から内部へ臨むように設けられ、前記回転軸よりも比較的高速で回転駆動されるチョッパーとから構成されており、構成は比較的単純化されているが、円筒状混合容器の清掃作業は、特許文献１の発明と同様に、点検口より内部の点検、清掃を行うことが、通常的に行われている。
【００１３】
また、特許文献２の発明における円筒状混合容器内の清掃は、スクリュー羽根（第一、第二のフライト）、該スクリュー羽根を設けた回転軸を円筒状混合容器の側面蓋を取り外すことにより混合容器外に引き抜いて保持し、混合容器の内部側を清掃したり、スクリュー羽根と回転軸、及び側面蓋の内部側を清掃することが実施されている。
【００１４】
然しながら、特許文献２の発明において、上記スクリュー羽根、該スクリュー羽根を設けた回転軸を円筒状混合容器の側面蓋を取り外すことにより混合容器外に片方から引き抜いて保持し、混合容器の内部側を清掃しようとすると、円筒状混合容器の中央部に突設して設けられたチョッパーが邪魔になり、始めに該チョッパーを円筒状混合容器から引き抜く作業が必要となり、次いで円筒混合容器の側面蓋を混合容器本体から取り外して芯ぶれがないようにスクリュー羽根、回転軸、側面蓋を抜脱して、円筒状混合容器の外側に水平移動せしめて、持設しなくてはならない。
【００１５】
そして、前記スクリュー羽根、回転軸、側面蓋、及び回転軸の駆動モーターを持設する保持台車は、スクリュー羽根、回転軸、側面蓋を片方から引き抜くために片持ち構造で持設することになり、前記保持台車は大変重量のある強固な構成となってしまう欠点を有している。
【特許文献１】特開平０３−１１８８２７号公報
【特許文献２】特許第３６５９９１５号公報
【発明の開示】
【発明が解決しようとする課題】
【００１６】
斯くして、本発明が解決しようとする課題は、円筒状混合容器内内に回転羽根（スクリュー羽根、リボン羽根、ショベル羽根を含む）とチョッパーを配置する形式の混合装置において、被混合物の混合精度を高めた混合装置を具現化することを目的とする。
【００１７】
また本発明は、円筒状混合容器内に回転羽根とチョッパーを配置する形式の混合装置において、分解、清掃時にその作業性、安全性、清掃性の良い構成を具現化して、１ロット混合完了後の分解、清掃効率を非常に良いものにし、該分解、清掃後のロットとの相互汚染を阻止して、前の混合物が次の混合物に混入しないようにした混合装置を具現化することを目的とする。
【００１８】
特に本発明は、食品の場合に多種の原料を混合装置に投入し、均質の混合して食料品とすることが多くあり、この場合、ロット間の相互汚染は製品の品質を低下させるばかりでなく、アレルギーを起こす可能性のある食品の混入は重用問題となり、ロット毎の清掃、及び清掃後の目視確認は重要な操作となるため、これらの清掃作業が、容易にでき、相互汚染のない食品製造用の混合装置を具現化することを目的とする。
【００１９】
更にまた、本発明の構成は、水平置きに配置された円筒状混合容器内に回転軸を介して設置される第一のフライト、第二のフライトは略中央にて２分割され、該第一のフライト、第二のフライト、それぞれの回転軸、円筒状混合容器の側面蓋、並びに駆動モーターは前記円筒状混合容器の外部に設置された水平移動持設機構にそれぞれ片持ちで持設されていること、及び、第一のフライト、第二のフライト、それぞれの回転軸、円筒状混合容器の側面蓋、並びに駆動モーターは前記円筒状混合容器の外部に設置された水平移動装置は、該装置上部に設けられたＩ型吊りレール上を走行する移動ローラ付き懸架アームに持設されているか、または該装置床面に設置されたレール上を走行する台車上に持設されており、該懸架アームまたは台車を手動、或いは電動にて動作させることにより、前記円筒状混合容器の大きさを従来装置に比較して大きなものに製作可能で、多種の粉体と粉体、または、粉体と液体の混合を１ロットあたり、１トンと大容量で混合処理可能な工場生産ライン向け混合機を生産することを目的とする。
【課題を解決するための手段】
【００２０】
本発明において、水平置きに配置された円筒状混合容器内に回転軸を介して設置される第一のフライト、第二のフライトは略中央にて二分割され、該第一のフライト、第二のフライトは前記円筒状混合容器の互いに対向する側面側からそれぞれ挿着並びに引き抜き可能となし、該第一のフライト、第二のフライトの回転軸は軸受け機構を介して前記円筒状混合容器の側面蓋を貫通しそれぞれの駆動モーターに連繋されており、該第一のフライト、第二のフライト、それぞれの回転軸、円筒状混合容器の側面蓋、並びに駆動モーターは前記円筒状混合容器の外部に設置された水平移動持設機構にそれぞれ片持ちで持設されていること最も主要な特徴とする。
【００２１】
また、本発明いおいて、第一のフライト並びに第二のフライトはそれぞれ別々に回転数を制御可能な駆動モーターにそれぞれの回転軸を介して連繋されており、該第１のフライト並びに第二のフライトは円筒状混合容器内にて別々に回転駆動し被混合物を混合する際必要に応じて前記回転数を別々に可変可能にしたことし、第一のフライトと第二のフライトの回転速度をそれぞれ別々に制御することにより混合精度を高めることの可能な構成とする。  
【００２２】
また、本発明において、円筒状混合容器内に回転軸を介して設置される第一のフライト、第二のフライトは、１ロット混合完了後の分解、清掃時において、該第一のフライト並びに第二のフライトをそれぞれ別々に円筒状混合容器の外部に引き抜き水洗い洗浄または拭き取り清掃することの可能な構成とする。
【００２３】
更にまた、本発明において、第一のフライト、第二のフライト、それぞれの回転軸、円筒状混合容器の側面蓋、並びに駆動モーターは、前記円筒状混合容器の外部に設置された水平移動装置は該装置上部に設けられたＩ型吊りレール上を走行する移動ローラ付き懸架アームに持設されているか、または該装置床面に設置されたレール上を走行する台車上に持設されており、該懸架アームまたは台車を手動或いは電動にて動作させる構成としている。
【発明の効果】
【００２４】
斯くして、本発明は上記構成を有する混合装置を具現化することで、円筒状混合容器内内に回転羽根（スクリュー羽根、リボン羽根、ショベル羽根を含む）とチョッパーを配置する形式の混合装置において、被混合物の混合精度を高めた混合装置を提供することができた。
【００２５】
また本発明は、円筒状混合容器内に回転羽根とチョッパーを配置する形式の混合装置において、分解、清掃時にその作業性、安全性、清掃性の良い構成を具現化して、１ロット混合完了後の分解、清掃効率を非常に良いものにし、該分解、清掃後のロットとの相互汚染を阻止して、前の混合物が次の混合物に混入しないようにした混合装置を提供することができた。
【００２６】
また、本発明は、特に食品の製造加工工程において、多種の原料を混合装置に投入し、均質の混合して食料品とすることが多くあり、この場合、ロット間の相互汚染は製品の品質を低下させるばかりでなく、アレルギーを起こす可能性のある食品の混入は重用問題となり、ロット毎の清掃、及び清掃後の目視確認は重要な操作となるため、これらの清掃作業が、容易にでき、相互汚染のない食品製造用の混合装置を提供することができた。
【００２７】
更に本発明は、水平置きに配置された円筒状混合容器内に回転軸を介して設置される第一のフライト、第二のフライトは略中央にて２分割され、該第一のフライト、第二のフライト、それぞれの回転軸、円筒状混合容器の側面蓋、並びに駆動モーターは前記円筒状混合容器の外部に設置された水平移動持設機構にそれぞれ片持ちで持設されていること、及び、第一のフライト、第二のフライト、それぞれの回転軸、円筒状混合容器の側面蓋、並びに駆動モーターは前記円筒状混合容器の外部に設置された水平移動装置は、該装置上部に設けられたＩ型吊りレール上を走行する移動ローラ付き懸架アームに持設されているか、または該装置床面に設置されたレール上を走行する台車上に持設されており、該懸架アームまたは台車を手動、或いは電動にて動作させる構成により、前記円筒状混合容器の大きさを従来装置に比較して大きなものに製作可能で、多種の粉体と粉体、または、多種の粉体と液体の混合を１ロットあたり、１トンと大容量で混合処理可能な工場生産ライン向け混合機を提供することができた。
【発明を実施するための最良の形態】
【００２８】
本発明は、水平置きに配置された円筒状混合容器内に回転軸を介して設置される第一のフライト、第二のフライトは略中央にて二分割され、該第一のフライト、第二のフライトは前記円筒状混合容器の互いに対向する側面側からそれぞれ挿着並びに引き抜き可能となし、該第一のフライト、第二のフライトの回転軸は軸受け機構を介して前記円筒状混合容器の側面蓋を貫通しそれぞれの駆動モーターに連繋されており、該第一のフライト、第二のフライト、それぞれの回転軸、円筒状混合容器の側面蓋、並びに駆動モーターは前記円筒状混合容器の外部に設置された水平移動持設機構にそれぞれ片持ちで持設されていることが好ましい。
【００２９】
また、本発明において、第一のフライト並びに第二のフライトはそれぞれ別々に回転数を制御可能な駆動モーターにそれぞれの回転軸を介して連繋されており、該第１のフライト並びに第二のフライトは円筒状混合容器内にて別々に回転駆動し被混合物を混合する際必要に応じて前記回転数を別々に可変可能にした構成が好ましい。  
【００３０】
また、本発明において、円筒状混合容器内に回転軸を介して設置される第一のフライト、第二のフライトは、１ロット混合完了後の分解、清掃時において、該第一のフライト並びに第二のフライトをそれぞれ別々に円筒状混合容器の外部に引き抜き水洗い洗浄、または拭き取り清掃すること構成が好ましい。
【００３１】
更にまた、第一のフライト、第二のフライト、それぞれの回転軸、円筒状混合容器の側面蓋、並びに駆動モーターは前記円筒状混合容器の外部に設置された水平移動装置は該装置上部に設けられたＩ型吊りレール上を走行する移動ローラ付き懸架アームに持設されているか、または該装置床面に設置されたレール上を走行する台車上に持設されており、該懸架アームまたは台車を手動或いは電動にて動作させる構成が好ましい。
【実施例１】
【００３２】
図１乃至図４は本発明の実施例１を示す説明図であり、図１は本発明の混合装置全体を示す正面要部断面図、図２は図１の側面図であり、チョッパー取付部分を一部断面図にて示している。図３は図１の混合装置の分解、清掃時の状態示す説明図であり、図４はそれぞれのスクリュー羽根を片持ちで持設する懸架アームの走行機構を示す説明図である。
【００３３】
図１乃至図４において、１は本発明の混合装置であり、該混合装置は床面２に支柱３ａ、３ｂ、３ｃ、３ｄを立設し、該支柱間に装架される梁材４により配置されている。
【００３４】
即ち、支柱３ｂ、３ｃにより、円筒状混合容器５は保持されており、該円筒状混合容器５の円筒面６には混合材料の投入ハッチ７（図２及び図３に示す）と混合材料の排出シュート８が設けられている。また、前記円筒状混合容器５の円筒面には集塵ポート９、接続ポート１０ａ、１０ｂ、１０ｃ・・・等や、自動液体添加ポート（図示せず）が設置されており、種々の加工操作や混合操作が付加できる。
【００３５】
次に、前記円筒状混合容器５の両側面には円筒状混合容器の側面蓋１１ａ、１１ｂがそれぞれ緊縮型クランプ１２ａ、１２ｂ、１２ｃ・・・により着脱可能に
装着されており、前記円筒状混合容器５はその内部を真空密閉状態、または、加圧状態にも保持できる。
【００３６】
斯くして、前記円筒状混合容器５の側面蓋１１ａ、１１ｂには、それぞれ駆動モーター１３、１３に連繋された回転軸１４、１４が気密シール機構を有した軸受け機構１５、１５を介して前記円筒状混合容器５内部に貫通しており、該回転軸１４、１４は円筒状混合容器５内で互いに逆方向に捻られた第一のフライト１６、第二のフライト１７（スクリュー羽根）を回転可能にそれぞれ設置しており、該回転軸１４、１４と第一のフライト１６、第二のフライト１７は、円筒状混合容器５の略中央で、即ち被混合材料の分散、剪断位置１８において、二分割されている。
【００３７】
また、１９ａ、１９ｂはそれぞれ独立したチョッパー用駆動モーター２０、２０に連繋され比較的高速で回転駆動されるチョッパーで、該二つのチョッパー１９ａ、１９ｂは前記円筒状混合容器５の円筒面壁部２１（図２に示す）から内部の被混合材料の分散、剪断位置１８へ臨むように設けられており、該チョッパー１９ａ、１９ｂの回転動作は、被混合材料の分散、剪断作用を強化するものである。
【００３８】
また、前記円筒状混合容器５の略中央部、即ち、被混合材料の分散、剪断位置１８において、二分割されている第一のフライト１６、第二のフライト１７、並びに回転軸１４，１４、そして、それぞれの円筒状混合容器の側面蓋１１ａ、１１ｂ、並びに駆動モーター１３、１３は懸架アーム２２、２２に持設されており、該懸架アーム２２、２２は、それぞれ混合装置１の上部に設けられたＩ型吊りレール２３、２３上を走行する移動ローラ付き走行台２４、２４に連繋されている。
【００３９】
前記それぞれの懸架アーム２２、２２は該懸架アーム２２、２２に設けられたハンドル２５、２５を回転操作することにより、図４に示す如く、該ハンドル２５の軸２６が回転し、該回転が歯車２７とチェーン２８、及び歯車２９を介して
駆動軸３０に伝達され、歯車３１ａ、３１ｂの回転がＩ型レール２３上に装架され走行する移動ローラ付き走行台２４、２４を図１における矢印方向に動かし、前記、側面蓋１１ａ、１１ｂ、回転軸１４、１４、第一のフライト１６、第二のフライト１７を円筒状混合容器５の外部に図３の如く引き出して、分解、清掃工程の準備を完了する。
【００４０】
斯くして、図３の状態は、第一のフライト１６、及び第二のフライト１７を中央部にて二分割して、該第一のフライト１６、第二のフライト１７をそれぞれ完全に円筒状混合容器５の外部に引き抜き、分解、清掃、場合によっては洗浄作業を行うための安全な作業場所や作業空間が確保できるので、その作業性、安全性、清掃性は著しく向上する。
【００４１】
即ち、本発明おいて、水平置きに配置された円筒状混合容器５内に回転軸１４、１４を介して設置される第一のフライト１６、第二のフライト１７は、被混合材料の分散、剪断位置１８の略中央にて二分割され、該第一のフライト１６、第二のフライト１７は前記円筒状混合容器５の互いに対向する側面側の側面蓋１１ａ、１１ｂからそれぞれ挿着並びに引き抜き可能となし、該第一のフライト１６、第二のフライト１７の回転軸１４、１４は軸受け機構１５、１５を介して前記円筒状混合容器５の側面蓋１１ａ、１１ｂを貫通しそれぞれの駆動モーター１３，１３に連繋されており、該第一のフライト１６、第二のフライト１７、それぞれの回転軸１４、１４、円筒状混合容器の側面蓋１１ａ、１１ｂ、並びに駆動モーター１３、１３は前記円筒状混合容器５の外部に設置された水平移動持設機構の懸架アーム２２、２２にそれぞれ片持ちで持設されていることを特徴としている。
【００４２】
また、上記実施例１においては、一例として、第一のフライト１６、第二のフライト１７をスクリュー羽根型として説明してきたが、該回転羽根の形状は、リボン型、ショベル型の羽根を回転軸に設置した形状の混合装置においても実施でき、本発明の効果を得ることもできる。
【００４３】
また、本発明において、第一のフライト１６、並びに第二のフライト１７はそれぞれ別々に回転数を制御可能な駆動モーター１３、１３にそれぞれの回転軸１４、１４を介して連繋されており、該第１のフライト１６、並びに第二のフライト１７の回転数は円筒状混合容器５内にて回転駆動し被混合物を混合するに際し必要に応じて別々に可変制御可能であり、該構成は混合精度を高めることを可能としている。  
【００４４】
また、本発明において、円筒状混合容器５内に回転軸１４、１４を介して設置される第一のフライト１６、第二のフライト１７は１ロット混合完了後の分解、清掃時において、該第一のフライト１６、並びに第二のフライト１７をそれぞれ別々に円筒状混合容器の外部に引き抜き水洗い洗浄、または拭き取り清掃するための安全な作業場所や作業空間が確保できるので、洗浄や清掃作業時における安全性、作業性を高めることができ、また、その清掃作業の効率、及び清掃性の向上を高めることができる。
【００４５】
また、本発明において、第一のフライト１６、第二のフライト１７、それぞれの回転軸１４、１４、円筒状混合容器の側面蓋１１ａ、１１ｂ、並びに駆動モーター１３、１３は前記円筒状混合容器５の外部に設置された懸架アーム２２、２２を手動にて水平移動走行させる形式であるが、該走行装置は駆動モーターにて走行するよう構成してもよい。
【実施例２】
【００４６】
図５は本発明の混合装置における実施例２を示す説明図であり、図５において、図１乃至図４と同一符号は同一構成要素を示している。
【００４７】
図５において、１は混合装置、２は床面、５は円筒状混合装置、７は混合材料の投入ハッチ、８は混合材料の排出シュート、１１ａ、１１ｂは円筒状混合容器の側面蓋、１２ａ、１２ｂ、１２ｃ・・・は側面蓋を円筒状混合容器に固着するための緊縮型クランプ、１３、１３は駆動モーターであり、該駆動モーター１３
、１３には連結された回転軸１４、１４が貫通しており、該回転軸１４、１４には、円筒状混合容器５内で互いに逆方向に捻られた第一のフライト１６、第二のフライト１７（スクリュー羽根）を回転可能にそれぞれ設置しており、該回転軸１４、１４と第一のフライト１６、第二のフライト１７は、円筒状混合容器５の略中央部、即ち被混合材料の分散、剪断位置１８において、二分割されている。
【００４８】
斯くして、３２、３２は台車で、該台車３２、３２はそれぞれ前記駆動モーター１３、１３、側面蓋１１ａ、１１ｂ、並びに回転軸１３、１３、そして、第一のフライト１６、第二のフライト１７を持設して、床面２上に設置されたレール３３、３３上を手動で水平方向に走行可能である。
【００４９】
斯くして、実施例２においては、混合装置１の床面２に設置されたレール３３、３３上を走行する台車３２、３２上に駆動モーター１３、１３、側面蓋１１ａ、１１ｂ、並びに回転軸１３、１３、そして、第一のフライト１６、第二のフライト１７を持設しており、台車３２、３２をそれぞれを手動にて動作させることにより、図５に示す如く、第一のフライト１６、及び第二のフライト１７を中央部にて二分割して、該第一のフライト１６、第二のフライト１７をそれぞれ完全に円筒状混合容器５の外部に引き抜き、分解、清掃、場合によっては洗浄作業を行うための安全な作業場所や作業空間が確保できるので、その作業性、安全性、清掃性は著しく向上する。
【産業上の利用可能性】
【００５０】
斯くして、本発明は、上記構成を有する混合装置を具現化することで、円筒状混合容器内内に回転羽根（スクリュー羽根、リボン羽根、ショベル羽根を含む）とチョッパーを配置する形式の混合装置において、被混合物の混合精度を高めた混合装置を提供することができる。
【００５１】
また本発明は、円筒状混合容器内内に回転羽根とチョッパーを配置する形式の混合装置において、分解、清掃時にその作業性、安全性、清掃性の良い構成を具現化して、１ロット混合完了後の分解、清掃効率を非常に良いものにし、また、該分解、清掃後のロットとの相互汚染を阻止して、前の混合物が次の混合物に混入しない混合装置を提供することができる。
【００５２】
また、本発明は、特に食品の製造、加工工程において、多種の原料を混合装置に投入し、均質の混合して食料品とすることが多くあり、この場合、ロット間の相互汚染は製品の品質を低下させるばかりでなく、アレルギーを起こす可能性のある食品の混入は重用問題となり、ロット毎の清掃、及び清掃後の目視確認は重要な操作となるため、これらの清掃作業が、作業性の良い環境で安全、且つ容易に行えるので、相互汚染のない食品製造用の混合装置を提供することができる。
【００５３】
更に本発明は、水平置きに配置された円筒状混合容器内に回転軸を介して設置される第一のフライト、第二のフライトは略中央にて２分割され、該第一のフライト、第二のフライト、それぞれの回転軸、円筒状混合容器の側面蓋、並びに駆動モーターは前記円筒状混合容器の外部に設置された水平移動持設機構にそれぞれ片持ちで持設されていること、及び、第一のフライト、第二のフライト、それぞれの回転軸、円筒状混合容器の側面蓋、並びに駆動モーターは前記円筒状混合容器の外部に設置された水平移動装置は、該装置上部に設けられたＩ型吊りレール上を走行する移動ローラ付き懸架アームに持設されているか、または該装置床面に設置されたレール上を走行する台車上に持設されており、該懸架アームまたは台車を手動、或いは電動にて動作させる構成により、前記円筒状混合容器の大きさを従来装置に比較して大きなものに製作可能で、多種の粉体と粉体、または、多種の粉体と液体の混合を１ロットあたり、１トンと大容量で混合処理可能な工場生産ライン向け混合機を提供することができる等の効果を生じせしめるもので、その産業上の利用の可能性は多大なものがある。
【図面の簡単な説明】
【００５４】
【図１】本発明の実施例１を説明する正面要部断面図である。
【図２】図１の側面を説明する側面図である。
【図３】図１の混合装置の分解、清掃時の状態示す説明図である。
【図４】スクリュー羽根を片持ちで持設する懸架アームの走行機構を示す説明          図である。
【図５】本発明の実施例２を説明する正面図である。
【符号の説明】
【００５５】
１  混合装置
２  床面
３ａ、３ｂ、３ｃ・・・  支柱
４  梁材
５  円筒状混合容器
６  円筒面
７  混合材料投入ハッチ
８  混合材料排出シュート
９  集塵ポート
１０ａ、１０ｂ、１０ｃ・・・  接続ポート
１１ａ、１１ｂ  円筒状混合容器の側面蓋
１２ａ、１２ｂ、１２ｃ・・・  緊縮型クランプ
１３  駆動モーター
１４  回転軸
１５  軸受け機構
１６  第一のフライト
１７  第二のフライト
１８  被混合材料の分散、剪断位置
１９ａ、１９ｂ  チョッパー
２０  チョッパー用駆動モーター
２１  円筒面壁部
２２  懸架アーム
２３  Ｉ型吊りレール
２４  移動ローラ付き走行台
２５  ハンドル
２６  軸
２７  歯車
２８  チェーン
２９  歯車
３０  駆動軸
３１ａ、３１ｂ  歯車
３２  台車
３３  レール
【図１】
2008062210.tif 000003
【図２】
2008062210.tif 000004
【図３】
2008062210.tif 000005
【図４】
2008062210.tif 000006
【図５】
2008062210.tif 000007